(57)【要約】【課題】コンパクトでどこにでも置くことができるといった利点を維持しつつ、ドレン水の溜まる量を減らして、ドレン水を貯留するタンクの排水作業の回数を減らすことができる空気調和機を実現する。【解決手段】ハウジング（１）内に、蒸発器（２）と、冷風用ファン（１２）と、蒸発器（２）を通過した冷風を前吹出口（６）に導く冷風路（１０）と、凝縮器（３）と、温風用ファン（１３）と、凝縮器（３）を通過した温風を後吹出口（８）に導く第１温風路（１１）と、蒸発器（２）で発生したドレン水に温風を接触させて、ドレン水を水蒸気又は水滴に変えて温風に取り込ませる処理を行うドレン水処理部（３２）と、を備える。【選択図】図３
2020085420.tif 000002
【特許請求の範囲】
【請求項１】
ハウジング内に、
蒸発器と、冷風用ファンと、前記蒸発器を通過した冷風を冷風吹出口に導く冷風路と、
凝縮器と、温風用ファンと、前記凝縮器を通過した温風を温風吹出口に導く温風路と、
前記蒸発器で発生したドレン水に前記温風を接触させて、前記ドレン水を水蒸気又は水滴に変えて前記温風に取り込ませる処理を行うドレン水処理部と、を備えることを特徴とする空気調和機。
【請求項２】
前記ドレン水処理部は、
前記蒸発器が設置されている蒸発器室から前記ドレン水を前記凝縮器が設置されている凝縮器室に導入するドレン水導入路と、
前記凝縮器室に導入されたドレン水を担持するドレン水受部と、を備えることを特徴とする請求項１に記載の空気調和機。
【請求項３】
前記温風吹出口に接続される着脱可能な排気ダクトを備えることを特徴とする請求項１又は２に記載の空気調和機。
【請求項４】
前記温風路を、前記冷風路から独立させた状態と、前記温風吹出口側を閉塞して前記冷風路と連通させた状態と、前記温風路を遮断した状態とに切り換えるダンパと、
前記ハウジングに設けられた、前記温風吹出口とは別の排出口と、
一端側が前記排出口より前記ハウジング内に挿入され、前記ダンパにて前記温風路が遮断されている状態で、前記ドレン水処理部にて処理された前記温風を機外へ排出する排出ホースを備える請求項１から３の何れか１項に記載の空気調和機。
【請求項５】
前記ドレン水処理部は、
前記温風路が遮断されている状態で前記ドレン水導入路を開放し、前記冷風路から独立させた状態および前記温風吹出口側を閉塞して前記冷風路と連通させた状態で前記ドレン水導入路を遮断する開閉部を備えることを特徴とする請求項２に記載の空気調和機。
【請求項６】
前記開閉部は、前記ダンパの動きに連動することを特徴とする請求項５に記載の空気調和機。
【請求項７】
前記排出ホースは着脱可能であることを特徴とする請求項４から６の何れか１項に記載の空気調和機。
【請求項８】
前記排出ホースは、挿入された側の端部が前記ドレン水処理部において前記ドレン水と接触するように取り付けられると共に、前記ハウジング内に挿入される端部側の内側面に、毛細管現象にて水分を吸い込む吸水層を有することを特徴とする請求項４から７の何れか１項に記載の空気調和機。
【請求項９】
少なくとも前記凝縮器を含む熱源より発生する熱を蓄熱する蓄熱部と、
前記ハウジングの外側に延び、内部の電線が前記蓄熱部と接触している電源コードと、を備えることを特徴とする請求項１から８の何れか１項に記載の空気調和機。
【発明の詳細な説明】
【技術分野】
【０００１】
本発明は、１つのハウジング内に冷凍サイクルを搭載し、少なくとも冷風運転を行うことができる空気調和機に関する。
【背景技術】
【０００２】
１つのハウジング内に、冷凍サイクルを備え、蒸発器を通過した冷風を冷風吹出口から吹き出す冷風運転と、凝縮器を通過した温風を冷風に混合させて吹き出す除湿運転とを行う、スポットクーラーと称される空気調和機がある（例えば、特許文献１）。
【０００３】
このようなスポットクーラーは、冷凍サイクルが室内機と室外機とに分かれているエアコンに比べて、コンパクトでどこにでも置くことができるといった利点を有する。しかしながらその反面、蒸発器から発生したドレン水はドレンタンクに回収されるようになっているため、ドレンタンクに溜まったドレン水の排水作業が必要である。
【０００４】
一方、特許文献２には、除湿機本体のドレンタンクの排水作業を無くすために、毛細管現象によって水分を吸い込むことができる給水配管の一端側をドレンタンクに接触させ、ドレン水を吸い上げて別の場所に移す構成が記載されている。また、上記給水配管の他端側に送風フォンを配置して、給水配管の他端側に吸い上げられたドレン水を送風ファンの風を用いて蒸発させる構成も記載されている。
【先行技術文献】
【特許文献】
【０００５】
【特許文献１】特開２００３−３１４８５５号公報
【特許文献２】特開２００５−１８５９８０号公報
【発明の概要】
【発明が解決しようとする課題】
【０００６】
ところで、スポットクーラーにおいて、冷風運転時、凝縮器を通過した温風は冷風吹出口の反対側に設けられた温風吹出口からは吹き出される。冷風運転において、室内の温度を上げるこのような温風は厄介な副産物に他ならない。
【０００７】
また、特許文献２に記載されている構成は、除湿機本体の外部にドレン水を溜める容器や、除湿機本体の外部に送付ファンを必要とし、大掛かりにならざるを得ない。そのため、特許文献２に記載されている技術を、コンパクトでどこにでも置くことができるといった利点を有するスポットクーラーに適用することはできない。
【０００８】
本発明の一態様は、コンパクトでどこにでも置くことができるといった利点を維持しつつ、ドレン水の溜まる量を減らして、ドレン水を貯留するタンクの排水作業の回数を減らすことができる空気調和機を実現することを目的とする。
【課題を解決するための手段】
【０００９】
上記の課題を解決するために、本発明の一態様に係る空気調和機は、ハウジング内に、蒸発器と、冷風用ファンと、前記蒸発器を通過した冷風を冷風吹出口に導く冷風路と、凝縮器と、温風用ファンと、前記凝縮器を通過した温風を温風吹出口に導く温風路と、前記蒸発器で発生したドレン水に前記温風を接触させて、前記ドレン水を水蒸気又は水滴に変えて前記温風に取り込ませる処理を行うドレン水処理部と、を備えることを特徴とする。
【発明の効果】
【００１０】
本発明の一態様によれば、コンパクトでどこにでも置くことができるといった利点を維持しつつ、ドレン水の溜まる量を減らして、ドレン水を貯留するタンクの排水作業の回数を減らすことができる。
【図面の簡単な説明】
【００１１】
【図１】本発明の一実施形態に係るスポットクーラーの正面側からみた外観斜視図である。
【図２】上記スポットクーラーの背面側からみた外観斜視図である。
【図３】上記スポットクーラーの概略構成図である。
【図４】上記スポットクーラーのハウジングの前面板を取り外して正面側からみた斜視図である。
【図５】上記スポットクーラーのハウジングの後面板を取り外して背面側からみた斜視図である。
【図６】（ａ）〜（ｃ）は、上記スポットクーラーのダンパよる温風の経路を示す図であり、スポットクーラーの凝縮器室側の側面より見た図である。
【図７】本発明の別の実施形態に係るスポットクーラーの排出ホースの断面図である。
【図８】（ａ）（ｂ）は、本発明のさらに別の実施形態に係るスポットクーラーのダンパによるドレン水導入路の開閉動作を示す図であり、スポットクーラーの蒸発器室および凝縮器室が位置する中央部分を正面より見た図である。
【図９】（ａ）〜（ｄ）は、上記スポットクーラーのダンパの形状を説明する図である。
【図１０】本発明のさらに別の実施形態に係るスポットクーラーの要部の構成を示す図である。
【図１１】変形例のスポットクーラーの要部の構成を示す図である。
【発明を実施するための形態】
【００１２】
〔実施形態１〕
以下、本発明の一実施形態について、詳細に説明する。
【００１３】
（スポットクーラーの概略構成）
図１は本発明の一実施形態に係るスポットクーラー（空気調和機）の正面側からみた外観斜視図である。図２は上記スポットクーラーの背面側からみた外観斜視図である。
【００１４】
図１、図２に示すように、本実施形態のスポットクーラーのハウジング１は、前後方向の奥行きに比べて左右方向の横幅が長い横長で、かつ縦方向に長い縦長タイプである。ハウジング１を構成する外郭は、前後面が開口したハウジング本体１ａと、その前面側開口を覆う前面板１ｂと、背面側開口を覆う背面板１ｃとから箱型に形成されている。
【００１５】
ハウジング１の前面の上部には前吹出口（冷風吹出口）６が形成され、背面側の背面板１ｃの左右両側の上部に第１吸込口７ａおよび第２吸込口７ｂが形成される。また、背面板１ｃの中央上方には後吹出口８が形成されている。さらに、背面板１ｃの下方であって、後述する凝縮器室３１が位置する側には、排出ホース１８を取り付けるホース取付部（排出口）１６が設けられている。ホース取付部１６は開閉式であり、蓋部が外されることで開放されて外部と連通する。
【００１６】
図３は上記スポットクーラーの概略構成図である。図３に示すように、ハウジング１内には、圧縮機４、凝縮器３および蒸発器２を配管により順次接続してなる冷凍サイクルが設けられている。ハウジング１の内部は、仕切り板４１にて上下に仕切られ、下側の区画に圧縮機４、蒸発器２から発生するドレン水を溜めるドレンタンク５、制御装置１９等が配置されている。ドレンタンク５は、ハウジング１の側面の下部から出し入れ可能となっている（図１参照）。
【００１７】
上側の区画は仕切り板４２にて左右に仕切られている。なお、図３では、便宜上、前後に仕切られているように記載されている。左右に仕切られた一方の区画に蒸発器２とその下流に冷風用ファン１２とが配置され、他方の区画に凝縮器３とその下流に温風用ファン１３とが配置されている。以下、蒸発器２が配置されている区画を蒸発器室３０、凝縮器３が配置されている区画を凝縮器室３１と称する。第１吸込口７ａは蒸発器室３０と連通し、第２吸込口７ｂは凝縮器室３１と連通している。
【００１８】
また、ハウジング１の内部には、第１吸込口７ａから蒸発器２を通って前吹出口６に至る冷風路１０と、第２吸込口７ｂから凝縮器３を通って後吹出口８に至る第１温風路１１とが形成されている。
【００１９】
第１温風路１１は、途中で分岐して冷風路１０に接続されている。分岐点は、温風用ファン１３の下流側に位置し、分岐点に風の流れ方向を切り替えるダンパ１７が設けられている。ダンパ１７は、回転操作にて温風の流れを切り換えるものである。ダンパ１７は、第１温風路１１を冷風路１０から独立させた状態と、第１温風路１１の後吹出口８に向かう通路を遮断して第１温風路１１を冷風路１０に連通させた状態とに切り換える。
【００２０】
さらに、第１温風路１１は、ダンパ１７と温風用ファン１３との間でも分岐してホース取付部１６に至る第２温風路２１が形成されている。ダンパ１７は、回転操作にて第１温風路１１と冷風路１０との接続を遮断（閉塞）して、温風の風路を第２温風路２１のみとすることができる。
【００２１】
このようなダンパ１７による温風の経路の切り換えによって、温風が後吹出口８に向かう風の流れと、温風が冷風と混合されて前吹出口６に向かう風の流れと、温風がホース取付部１６に向かう流れとを選択できる。なお、ダンパ１７の回転は、レバー操作によって行われても、モータによって行われてもよい。
【００２２】
そして、詳細については後述するが、凝縮器室３１には、蒸発器２発生したドレン水に温風を接触させて、ドレン水を水蒸気又は水滴に変えて温風に取り込ませる処理を行うドレン水処理部３２が設けられている。
【００２３】
排出ホース１８は、一端側がホース取付部１６よりハウジング１内に挿入され、ダンパ１７にて第１温風路１１が遮断された状態で、ドレン水処理部３２にて処理されて水蒸気又は水滴を取り込んだ温風を機外へ排出する。排出ホース１８の先端は、凝縮器室３１内に挿入されている。
【００２４】
図４はスポットクーラーのハウジング１の前面板１ｂを取り外して正面側からみた斜視図である。図５はスポットクーラーのハウジング１の背面板１ｃを取り外して背面側からみた斜視図である。
【００２５】
図４、図５に示すように、蒸発器２および凝縮器３は、ハウジング１内で左右方向に対向して配置される。蒸発器２および凝縮器３は、平行に配列された多数の放熱フィンと、放熱フィンの板面を貫通しつつ端部において蛇行する冷媒管とから構成される周知構造のものである。
【００２６】
蒸発器２および凝縮器３との間には送風ユニット４５が設けられている。送風ユニット４５は、ファンケーシング４６と、中央仕切板（図示せず）と、モータ（図示せず）と、冷風用ファン１２、温風用ファン１３を備える。ファンケーシング４６は、冷風路１０、第１温風路１１を形成する横置円筒状の部材である。中央仕切板は、ファンケーシング４６を左右に区画する部材であり、該中央仕切板の中央穴部に、軸方向を左右方向とする両軸型のモータが設置されている。冷風用ファン１２および温風用ファン１３は、モータの左右のモータ軸に夫々連結され、中央仕切板４７を挟んでファンケーシング４６の両側に冷風路１０と第１温風路１１とが形成される。
【００２７】
前記冷風用ファン１２および温風用ファン１３は、遠心型シロッコファンである。軸方向を左右方向とするモータのモータ軸先端に設置され、軸方向から吸込んだ風を軸と直交する半径方向に送り出す。ファンケーシング４６の冷風路１０側に、前吹出口６に向かう風路が形成されている。また、第１温風路１１側に、前吹出口６および後吹出口８に向かう側面視Ｔ字形の風路が形成され、その分岐点にダンパ１７が配置されている。
【００２８】
さらに、側面視Ｔ字形の風路はＴ字の縦棒部分に開口が形成されるなどして、ホース取付部１６に向かう第２温風路２１が形成される。ホース取付部１６と第２吸込口７ｂとは共に凝縮器室３１と連通しているため、凝縮器室３１内部において、ホース取付部１６と第２吸込口７ｂとの間は隔壁（図示せず）によって仕切られている。
【００２９】
圧縮機４や送風ファンモータ４８を駆動制御する制御装置１９は、マイクロコンピュータから構成される。マイクロコンピュータは、ハウジング１の後面側に配置された制御基板上のＩＣチップによって実現される。制御装置１９は、選択された運転モードにしたがって冷凍サイクルを制御する。
【００３０】
運転モードとしては、冷風運転、除湿運転、送風運転が選択可能である。運転モードの選択は、操作部（図示せず）の運転切換ボタンを操作することにより行われる。また、手動の場合は、操作部（図示せず）の風路切換レバーを操作してダンパ１７を回転させて、温風の経路を切り換える。温風の経路としては、第１温風路１１を遮断して温風を排出ホース１８から排気させる排気経路と、第１温風路１１に導く後吹出経路と、冷風路１０に連通させる前吹出経路とを選択できる。
【００３１】
（ダンパ１７による温風の風路の切り換え）
図６を用いて、ダンパ１７による温風の経路の切り換えを説明する。図６の（ａ）〜（ｃ）は、ダンパ１７による温風の経路を示す図であり、スポットクーラーの凝縮器室３１側の側面より見た図である。
【００３２】
図６の（ａ）は、除湿運転時に選択される前吹出経路による温風の流れを示す。ダンパ１７は、後吹出口８への経路を遮断して、第１温風路１１を冷風路１０と連通させる。これにより、温風は、前吹出口６から冷風と同時に吹き出される。排出ホース１８から少量の温風が排出される。
【００３３】
図６の（ｂ）は、後吹出口８からの温風吹き出しを伴う冷風運転時又は送風運転時に選択される後吹出経路による温風の流れを示す。ダンパ１７は、第１温風路１１を冷風路１０から独立させた状態とする。これにより、温風は、後吹出口８から吹き出される。このときも少量の温風が排出ホース１８から排出される。
【００３４】
図６の（ｃ）は、温風を室外へ排気する冷風運転時に選択される排気経路による温風の流れを示す。ダンパ１７は、第１温風路１１と冷風路１０との接続を遮断する。これにより、温風は、排出ホース１８からのみ排出される。
【００３５】
（ドレン水処理部３２の構成）
次に、図３を用いて、ドレン水処理部３２の構成を説明する。図３に示すように、本実施形態では、ドレン水処理部３２は、凝縮器室３１内のドレン水を凝縮器室３１に導入するドレン水導入路３３と、導入されたドレン水を担持するドレン水受部とを備える。図３の例では、凝縮器室３１の底壁を構成している仕切り板３４の上面がドレン水受部として機能し、ドレン水処理部３２は、凝縮器室３１内で温風とドレン水とを接触させる。
【００３６】
ドレン水導入路３３は、例えば、蒸発器室３０と凝縮器室３１とを隔てる仕切り板４２に形成された、下端が仕切り板４１に達する開口にて構成できる。仕切り板４１に傾斜を持たせ、凝縮器室３１側の底壁が蒸発器室３０側の底壁よりも低くしておくことで、ドレン水を凝縮器室３１へと導入することができる。ドレン水導入路３３は、蒸発器室３０から凝縮器室３１へとドレン水を移動できる構成であればよい。
【００３７】
また、本実施形態では、ドレン水導入路３３は、ドレン水導入路３３の開閉を切り換える開閉部３５を備えている。開閉部３５は、ドレン水導入路３３の開閉するものであればよい。開閉部３５が開状態である場合に、ドレン水は凝縮器室３１に導入され、開閉部３５が閉状態（遮断状態）である場合は、ドレン水はドレンタンク５に回収される。なお、開閉部３５の開閉動作は、レバー操作によって行われても、モータによって行ってもよい。
【００３８】
ドレン水を担持するドレン水受部は、上述したように凝縮器室３１の底壁を流用できる。ドレン水受部としては、ドレン水をより多くの温風と接触させて気化を促すために、ドレン水が薄く広がるような皿状であることが好ましい。また、ドレン水を水滴に変える場合は、水しぶきが生じやすいように、ドレン水に吹き付けられる温風の吐出口を絞るなど、温風の勢いを増す構成とすることが好ましい。
【００３９】
第２温風路２１は、凝縮器室３１の底壁に担持されたドレン水が、第２温風路２１を通過する温風に接触するように設けられている。換言すると、ドレン水受部は、ドレン水が第２温風路２１を通過する温風に接触するように、第２温風路２１に面して設けられている。ドレン水処理部３２において温風は、ドレン水の気化又は水滴化が促進されるようにドレン水と接触されることが好ましい。
【００４０】
このようなドレン水処理部３２の構成により、凝縮器室３１に導入されたドレン水は、第２温風路２１を通過する温風に接触して気化又は水滴化されて水蒸気又は水滴となって温風に取り込まれ、排出ホース１８を通って温風と一緒に排出される。
【００４１】
（スポットクーラーの動作）
次に、スポットクーラーの動作を説明する。制御装置１９（図３参照）は、選択された運転モードにしたがって冷凍サイクルを制御し、選択された運転モードに合った温風の経路となるようにダンパ１７を切り換える。冷凍サイクルが動いている状態では、冷風用ファン１２により第１吸込口７ａから蒸発器室３０に吸い込まれた室内の空気は、蒸発器２を通ったときに冷却されて冷風となる。このとき、空気中の水分が蒸発器２の表面に結露して冷風は除湿される。また、温風用ファン１３により第２吸込口７ｂから凝縮器室３１に吸い込まれた室内の空気は、凝縮器３を通ったときに加熱されて温風となる。
【００４２】
１）冷風運転では、冷凍サイクルが運転され、蒸発器２を通って除湿された冷風は、前吹出口６から吹き出される。温風の経路は、排気経路又は後吹出経路の何れかが選択される。排気経路を選択している場合、ドレン水導入路３３を開放し、後吹出経路を選択している場合はドレン水導入路３３を閉塞（遮断）する。
【００４３】
排気経路が選択されると、凝縮器３を通った温風は、ドレン水処理部３２を経て排出ホース１８よりに排出される。温風は、ドレン水処理部３２を通過する際にドレン水を気化又は水滴化して、ドレン水の水蒸気又は水滴を含んだ状態となって排出される。後吹出経路が選択されると、凝縮器３を通った温風は、後吹出口８から吹き出される。
【００４４】
２）除湿運転では、冷凍サイクルが運転され、蒸発器２を通って除湿された冷風は、前吹出口６から吹き出される。温風の経路は、前吹出経路が選択され、ドレン水導入路３３は閉塞する。凝縮器３を通った温風は、前吹出口６から冷風と混合されて吹き出され、ドレン水はドレンタンク５に回収される。
【００４５】
３）送風運転では、後吹出経路又は前吹出経路のいずれかを選択する。冷凍サイクルの運転は行われず、冷風用ファン１２と温風用ファン１３とだけが駆動される。後吹出経路を選択した場合は、前吹出口６と後吹出口８のそれぞれから室温の風が吹き出される。前吹出経路を選択した場合は、前吹出口６からのみ室温の風が吹き出される。
【００４６】
（効果）
上記構成では、ドレン水処理部３２を設けているので、冷風運転において、温風がドレン水処理部３２を通る排気経路を選択することで、ドレン水を温風と共に排出ホース１８より排気することができる。
【００４７】
これにより、排出ホース１８の先端を室外に排出することで、温風による室温の上昇を抑えて冷風運転を効果的に行いつつ、ドレン水の量を減らして、ドレンタンク５の排水作業の回数を減らすことができる。
【００４８】
しかも、この場合、ドレン水は水蒸気又は水滴となって温風に取り込まれた状態で排出される。したがって、排出ホース１８の先端にドレン水を溜める容器等を設置する必要がなく、連続的に運転できる。また、ドレン水を液体のままホースで排出する構成では、ホース内に液だまりができないように、ホースに先下がりの勾配が付くように設置する必要がある。しかしながら、上記構成では、ドレン水は水蒸気又は水滴となって温風に取り込まれた状態で排出されるため、排出ホース１８にどのような勾配が付けられていても、問題なく排出することができる。
【００４９】
また、上記構成では、ドレン水導入路３３の開閉を切り換える開閉部３５を設け、排気経路を選択している場合にだけドレン水を凝縮器室３１内に導入する。これは、排気経路以外が選択されている場合は、第２温風路２１に流れる温風は少量であるため、温風と共に排出されるドレン水の量も少なくなるためである。このように、排気経路を選択している場合にだけドレン水を凝縮器室３１内に導入することで、凝縮器室３１内に過剰なドレン水が導入されることを回避することができる。
【００５０】
また、上記構成では、ドレン水を凝縮器室３１に導入してドレン水処理部３２を凝縮器室３１内に設けている。しかしながら、温風をドレンタンク５の液面に吹き付けるように風路を形成し、吹き付けられた温風にて気化又は水滴化したドレン水を温風に取り込ませて排出ホース１８から排出はする構成としてもよい。
【００５１】
また、上記構成では、冷風運転において温風の経路として排気経路又は後吹出経路の何れかを選択できる構成とし、かつ、除湿運転も可能とした。そのため、後吹出経路の冷風運転および除湿運転で発生したドレン水を回収するためにドレンタンク５を設けた。しかしながら、冷風運転における温風の経路を排気経路のみとし、除湿運転を行わない構成では、ドレンタンク５を無くすることも可能である。
【００５２】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００５３】
実施形態１の構成では、第１温風路１１から分岐させた第２温風路２１を設け、第２温風路２１に面するようにドレン水処理部３２を設けた。本実施形態では、第２温風路２１を設けず、第１温風路１１のみとし、ドレン水処理部３２にて処理された気化又は水滴化したドレン水を含む温風を、第１温風路１１を通って後吹出口８から排出する。
【００５４】
このような構成とすることで、冷風運転時、後吹出口８から湿気を帯びた温風が吹き出されることとなるが、ドレン水の量を減らして、ドレンタンク５の排水作業の回数を減らすことができる。
【００５５】
また、後吹出口８に着脱可能に取り付けられる排気ダクトを設ける構成としてもよい。これにより、上述した排出ホースと同様に、排気ダクトの先端を室外に排出することで、温風による室温の上昇を抑えて冷風運転を効果的に行いつつ、ドレン水の量を減らして、ドレンタンク５の排水作業の回数を減らすことができる。
【００５６】
そして、この場合も、除湿運転ではドレン水導入路３３を閉塞する。これにより、冷風に混合される温風に湿気が混じることを防止して、除湿運転を効果的に行うことができる。
【００５７】
〔実施形態３〕
本発明の他の実施形態について、以下に説明する。なお、説明の便宜上、上記実施形態にて説明した部材と同じ機能を有する部材については、同じ符号を付記し、その説明を繰り返さない。
【００５８】
実施形態１のスポットクーラーとの違いは排出ホースにある。図７は、本実施形態のスポットクーラーの排出ホース１８Ａの断面図である。本実施形態のスポットクーラーにおいては、図７に示すように、排出ホース１８Ａは、内側面に毛細管現象にて水分を吸い込む吸水層４０を有している。吸水層４０は、排出ホース１８の内側面全体に設けられていてもよいが、少なくとも、ハウジング１内に挿入される側の端部に設けられていればよい。このような吸水層４０が設けられた排出ホース１８Ａは、ドレン水受部に担持されたドレン水と接触するように配置する。
【００５９】
これにより、吸水層４０にドレン水が吸い込まれ、ドレン水と温風とが接触する面積が大きくなるので、ドレン水の気化が促進され、ドレン水を温風内に取り込む処理速度を速めることができる。
【００６０】
〔実施形態４〕
本発明の他の実施形態について、以下に説明する。なお、説明の便宜上、上記実施形態にて説明した部材と同じ機能を有する部材については、同じ符号を付記し、その説明を繰り返さない。
【００６１】
実施形態３のスポットクーラーとの違いはダンパにある。図８の（ａ）（ｂ）は、本実施形態に係るスポットクーラーのダンパ５１によるドレン水導入路３３の開閉動作を示す図であり、スポットクーラーの蒸発器室３０および凝縮器室３１が位置する中央部分を正面より見た図である。本実施形態においては、図８の（ａ）（ｂ）に示すように、ダンパ５１は、蒸発器室３０と凝縮器室３１とを仕切る壁の一部として機能し、回転操作に応じてドレン水導入路３３を開閉する。つまり、温風の経路として、排気経路を選択した状態でドレン水導入路３３を開放し、排気経路以外を選択した状態ではドレン水導入路３３を閉塞する。
【００６２】
図８の（ａ）は、排気経路以外が選択されている場合のダンパ５１の姿勢を示す。ダンパ５１は、蒸発器室３０と凝縮器室３１との間を仕切り壁５１ａで仕切っている。ドレン水処理部３２のドレス水受部として機能する仕切り板４１には、開口４１ａが形成されており、開口４１ａの下方にドレンタンク５が配置されている。図８の（ａ）の状態では、開口４１ａが塞がれておらず、ドレン水導入路３３は閉じていて、ドレン水はドレンタンク５に回収される。
【００６３】
図８の（ｂ）は、排気経路が選択されている場合のダンパ５１の姿勢を示す。ダンパ５１は、蒸発器室３０と凝縮器室３１とを、仕切り壁５１ａに形成された連通口５１ｄを介して連通させる。蒸発器室３０と凝縮器室３１とが連通している状態で、開口４１ａはダンパ５１の外縁部の一部に縦壁状に設けられた流路壁５１ｅにて塞がれ、流路壁５１ｅの上面を伝って凝縮器室３１へとドレン水が流れる。
【００６４】
図９の（ａ）〜（ｄ）は、ダンパ５１の形状を説明する図であり、図９の（ａ）は、ダンパ５１の正面図、図９の（ｂ）〜図９の（ｄ）は斜視図である。図９の（ａ）〜（ｄ）に示すように、ダンパ５１は、蒸発器室３０と凝縮器室３１とを仕切る、一部が切り欠かれた円盤状の仕切り壁５１ａを有し、仕切り壁５１ａの中心が回転軸となっている。仕切り壁５１ａは、回転軸周りに約１２０°の角度で切り欠かれており、この切り欠かれた部分の凝縮器室３１側に、仕切り壁５１ａよりも小さい径の扇形の凸部５１ｂが設けられている。さらに、この切り欠かれた部分の蒸発器室３０側に、仕切り壁５１ａと同心円をなすように、縦壁状の流路壁５１ｅが設けられている。
【００６５】
凸部５１ｂは、回転軸周りに約１２０°の角度で形成され、凸部５１ｂの外周面５１ｂｂが、第１温風路１１を遮断（閉塞）する。また、外周面５１ｂｂよりも外周側に形成されている流路壁５１ｅが、凸部５１ｂの外周面５１ｂｂにて第１温風路１１が遮断（閉塞）されているとき、仕切り板４１に形成された開口４１ａを塞いで、ドレン水導入路３３を開放する。凸部５１ｂの外周面５１ｂｂと流路壁５１ｅの間の切り欠き部分が、連通口５１ｄに相当する。
【００６６】
このような構成では、ダンパ５１の動きに連動させてドレン水導入路３３の開閉することができるので、各々の切り換え操作が必要である場合に比べて操作性を向上させることができる。
【００６７】
〔実施形態５〕
本発明の他の実施形態について、以下に説明する。なお、説明の便宜上、上記実施形態にて説明した部材と同じ機能を有する部材については、同じ符号を付記し、その説明を繰り返さない。
【００６８】
本実施形態のスポットクーラーは、さらに、熱源からの熱を蓄熱し、電源コードから放熱する機構を備えている。なお、本実施形態で説明する蓄熱部を用いて冷風運転を効果的に行わせる構成は、上述した実施形態１〜４で述べた構成とは独立して採用してもよい。
【００６９】
図１０は、本実施形態に係るスポットクーラーの要部の構成を示す図である。図１０に示すように、ハウジング１内に、タンク６４に収容された蓄熱材（蓄熱部）６３を備える。タンク６４は断熱材６７にて覆われている。熱を発する熱源である凝縮器３の冷凍サイクルの配管６５が、蓄熱材６３に浸かるように配置されている。これにより、蓄熱材６３に凝縮器３の熱（熱）を移すことができ、冷風運転時に副産物として生成される温風の温度を下げることができる。
【００７０】
タンク６４には、電源基板６６に一端が接続され、他端にプラグ７０が設けられた電源コード６０の内部の電線６１が接触している。このような構成とすることで、蓄熱材６３に蓄積された熱はタンク６４を介して電線６１に伝達される。そして、電源コード６０のプラグ７０をコンセント８０に接続することで、電線６１に伝わった熱を、コンセント８０に接続された配線８１を通して放熱することができる。
【００７１】
これによれば、ハウジング１内では熱を蓄熱材６３に一端溜めてから、電源コード６０を介して徐々に放熱することができるので、温風の温度を下げて、冷風運転を効果的に行うことができる。なお、電源コード６０は、断熱材６２で被覆されていることが好ましい。
【００７２】
図１１は、本実施形態に係る変形例のスポットクーラーの要部の構成を示す図である。図１１に示すように、凝縮器３に冷却用パイプ６８を追加で設置し、冷却用パイプ６８にタンク６４内の蓄熱材６３をポンプ６９で循環させる構成としてもよい。図１１に示すように、冷凍サイクルの配管６５を蓄熱材６３で冷却する構成と、冷却用パイプ６８を用いて冷却する構成の両方を備えることで、凝縮器３で発生した熱をより効果的に蓄熱材６３に移すことができる。
【００７３】
ここで、熱源は、凝縮器３に限らず、電源基板６６や圧縮機４等であってもよい。さらに、このような構成は、スポットクーラー等の空気調和機に限らず、表示装置や冷蔵庫等の熱を発する電気機器に適用可能である。
【００７４】
〔まとめ〕
本発明の態様１に係る空気調和機は、ハウジング１内に、蒸発器２と、冷風用ファン１２と、前記蒸発器２を通過した冷風を冷風吹出口（前吹出口６）に導く冷風路１０と、凝縮器３と、温風用ファン１３と、前記凝縮器３を通過した温風を温風吹出口（後吹出口８）に導く温風路（第１温風路１１）と、前記蒸発器２で発生したドレン水に前記温風を接触させて、前記ドレン水を水蒸気又は水滴に変えて前記温風に取り込ませる処理を行うドレン水処理部３２と、を備える。
【００７５】
本発明の態様２に係る空気調和機は、上記態様１において、さらに、前記ドレン水処理部は、前記蒸発器２が設置されている蒸発器室３０から前記ドレン水を前記凝縮器３が設置されている凝縮器室３１に導入するドレン水導入路３３と、前記凝縮器室３１に導入されたドレン水を担持するドレン水受部（仕切り板４１）と、を備える構成とすることもできる。
【００７６】
本発明の態様３に係る空気調和機は、上記態様１、２において、さらに、前記温風吹出口に接続される着脱可能な排気ダクトを備える構成とすることもできる。
【００７７】
本発明の態様４に係る空気調和機は、上記態様１、２、３において、さらに、前記温風路（第１温風路１１）を、前記冷風路１０から独立させた状態と、前記温風吹出口側を閉塞して前記冷風路１０と連通させた状態と、前記温風路を遮断した状態とに切り換えるダンパ１７と、前記ハウジング１に設けられた、前記温風吹出口とは別の排出口（ホース取付部１６）と、一端側が前記排出口より前記ハウジング１内に挿入され、前記ダンパ１７にて前記温風路が遮断されている状態で、前記ドレン水処理部３２にて処理された前記温風を機外へ排出する排出ホース１８を備える構成とすることもできる。
【００７８】
本発明の態様５に係る空気調和機は、上記態様２において、さらに、前記ドレン水処理部３２は、前記温風路が遮断されている状態で前記ドレン水導入路３３を開放し、前記冷風路１０から独立させた状態および前記温風吹出口側を閉塞して前記冷風路１０と連通させた状態で前記ドレン水導入路３３を遮断する開閉部３５を備える構成とすることもできる。
【００７９】
本発明の態様６に係る空気調和機は、上記態様５において、さらに、前記開閉部３５は、前記ダンパ１７の動きに連動する構成とすることもできる。
【００８０】
本発明の態様７に係る空気調和機は、上記態様４，５，６において、さらに、前記排出ホース１８は着脱可能である構成とすることもできる。
【００８１】
本発明の態様８に係る空気調和機は、上記態様４，５，６，７において、前記排出ホース１８は、挿入された側の端部が前記ドレン水処理部３２において前記ドレン水と接触するように取り付けられると共に、前記ハウジング１内に挿入される端部側の内側面に、毛細管現象にて水分を吸い込む吸水層４０を有する構成とすることもできる。
【００８２】
本発明の態様９に係る空気調和機は、上記態様１〜８において、少なくとも前記凝縮器３を含む熱源より発生する熱を蓄熱する蓄熱部（蓄熱材６３）と、前記ハウジング１の外側に延び、内部の電線が前記蓄熱部と接触している電源コード６０と、を備える構成とすることもできる。
【００８３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８４】
１  ハウジング
１ａ  ハウジング本体
１ｂ  前面板
１ｃ  背面板
２  蒸発器
３  凝縮器
４  圧縮機
５  ドレンタンク
６  前吹出口（冷風吹出口）
７ａ  第１吸込口
７ｂ  第２吸込口
８  後吹出口（温風吹出口）
１０  冷風路
１１  第１温風路（温風路）
１２  冷風用ファン
１３  温風用ファン
１６  ホース取付部
１７、５１  ダンパ
１８、１８Ａ  排出ホース
１９  制御装置
２１  第２温風路
３０  蒸発器室
３１  凝縮器室
３２  ドレン水処理部
３３  ドレン水導入路
３５  開閉部
４０  吸水層
４１ａ  開口
５１ｂ  凸部
５１ｂｂ  外周面
５１ｄ  連通口
５１ｅ  流路壁
６０  電源コード
６１  電線
６２、６７  断熱材
６３  蓄熱材
６４  タンク
６５  配管
６６  電源基板
６８  冷却用パイプ
６９  ポンプ
７０  プラグ
８０  コンセント
８１  配線
【図１】
2020085420.tif 000003
【図２】
2020085420.tif 000004
【図３】
2020085420.tif 000005
【図４】
2020085420.tif 000006
【図５】
2020085420.tif 000007
【図６】
2020085420.tif 000008
【図７】
2020085420.tif 000009
【図８】
2020085420.tif 000010
【図９】
2020085420.tif 000011
【図１０】
2020085420.tif 000012
【図１１】
2020085420.tif 000013